(57)【要約】【課題】  簡単な構造でありながら、利用目的に応じた十分な明るさで発光面全体を均一に発光させるとともに、温度上昇抑制及び消費電力の削減を図る。【解決手段】  ショーケースは、発光パネル２０上に、陳列板及び棚を備えており、全体にカバーが設けられている。前記発光パネル２０は、主面開口部が透光性の導光板３０で覆われたケース２２の側面に照射部３６を備えている。照射部３６は、照射カバー３８と、その内側に支持される断面略円形の透明体５６，前記照射カバー３８と透明体５６に挟まれるように配置され、前記透明体５６に光を照射する複数のＬＥＤにより構成される。ＬＥＤが発光すると、その光は、透明体５６のレンズ効果により、ケース２２の内部に多方向から入射し、白色反射板２６で反射されて、更に散乱部３２で散乱されるため、導光板３０全体が均一に明るく発光して見える。【選択図】図２
2007059163.tif 000002
【特許請求の範囲】
【請求項１】
対向する主面の少なくとも一方が開放した反射ケース，
透光性を有しており、前記反射ケースの開放した主面を覆う導光板，
前記反射ケースの側面に設けられており、該反射ケース内に光を照射する照射手段，
を備えるとともに、前記照射手段が、
透光性を有し、断面が略円弧状ないし略円形であって、前記照射ケースの側面に沿って配置される透明体，
該透明体の光の照射側を除く外周面を覆うように設けられており、前記透明体が取り付けられるカバー，
前記透明体とカバーとの間に、前記透明体の表面に非密着状態ないし近接状態となるように、透明体に沿って配置されており、前記透明体に光を照射する複数の光源，
を備えたことを特徴とする発光パネル。
【請求項２】
対向する主面の少なくとも一方が開放した反射ケース，
透光性を有しており、前記反射ケースの内側に収納される導光板，
前記反射ケースの側面に設けられており、前記導光板の側面から、該導光板内に光を照射する照射手段，
前記反射ケースの開放した主面を覆う拡散板，
を備えるとともに、前記照射手段が、
透光性を有し、断面が略円弧状ないし略円形であって、前記照射ケースの側面に沿って配置される透明体，
該透明体の光の照射側を除く外周面を覆うように設けられており、前記透明体が取り付けられるカバー，
前記透明体とカバーとの間に、前記透明体の表面に非密着状態ないし近接状態となるように、透明体に沿って配置されており、前記透明体に光を照射する複数の光源，
を備えたことを特徴とする発光パネル。
【請求項３】
前記光源が発光ダイオードであることを特徴とする請求項１又は２記載の発光パネル。
【請求項４】
前記導光板が、平板状の透明板と、そのいずれか一方の主面に形成された散乱部を含むとともに、該散乱部が形成されていない側の主面が、前記反射ケースの外側を向くように配置されることを特徴とする請求項１〜３のいずれかに記載の発光パネル。
【請求項５】
前記カバー及び反射ケースが放熱性を有することを特徴とする請求項１〜４のいずれかに記載の発光パネル。
【請求項６】
前記カバーと光源との間に導熱性シートを設けたことを特徴とする請求項５記載の発光パネル。
【請求項７】
前記透明体が、樹脂又はガラスを材料とすることを特徴とする請求項１〜６のいずれかに記載の発光パネル。
【請求項８】
請求項１〜７のいずれかに記載の発光パネルを利用したことを特徴とする発光物。
【請求項９】
前記発光物が、ショーケース，表示パネル，案内パネルのいずれかであることを特徴とする請求項８記載の発光物。
【発明の詳細な説明】
【技術分野】
【０００１】
本発明は、発光パネル及びそれを利用した発光物に関し、更に具体的には、面発光の均一性と明るさの改良に関するものである。
【背景技術】
【０００２】
一般的に使用されている蛍光灯などの照明器具には、光源の背後ないし側方に反射部材が設けられている。光源（蛍光ランプや白熱灯）からの光線は、前記反射部材に一旦当てて所望の照明方向へ反射させられることにより、照明器具の明るさを高める働きをするとともに、反射部材の広い面から散乱する柔らかな光を提供する。従来、蛍光灯等の照明器具反射部材としては、酸化チタンなどの白色顔料を含んだ塗料が使用されているが、これら反射部材に照射された可視光線のエネルギーの吸収率が高く（１４〜１７％）、その分、照明効率が低くなるという問題がある。また、反射部材を用いることから取付構造なども複雑化する。更に、蛍光ランプや白熱灯では、点灯を続けると温度が高くなってしまうため、温度管理が必要なものを陳列するショーケースの照明に用いる場合は、冷却装置などと併用する必要が生じ、構造が複雑になるばかりか、消費電力の面でも不都合が生じる。
【０００３】
一方、近年では、消費電力や照明効率に着目し、光源としてＬＥＤ（発光ダイオード）を利用した照明器具なども多数提案されている。例えば、下記特許文献１には、数少ない発光ダイオードによって、比較的均一に照射面を照射することができる照明装置が開示されている。
【特許文献１】特開２００３−７７３２１公報
【発明の開示】
【発明が解決しようとする課題】
【０００４】
しかしながら、一般的に、ＬＥＤを使用した照明器具では、白熱球などと比べて光量が不足する傾向にあり、照明器具の設置場所や利用場所によっては、目的に応じた十分な明るさを得ることができない場合がある。特に、単一のＬＥＤを使用した照明器具では、器具の形状がライン状（直線状）である場合は、一般に、光源に近い部分は明るく、遠い部分になるほど暗くなり、器具全体として照射する明るさにムラがでる傾向が強い。このため、上述した特許文献１においても、一方向に複数の発光ダイオードを配置するとともに、反射手段（反射部材）を備える構成となっている。このように、適宜間隔をおいて複数のＬＥＤを配列するようにすると、明るさのムラを解消して全体をほぼ均一に発光させることは可能になるが、用途によっては明るさが不十分な場合もある。更に、パネル状ともなると、発光させる面内に更に多数の光源を設ける必要があるため、構造が複雑になり、デザイン性にも欠けるという不都合がある。
【０００５】
本発明は、以上の点に着目したもので、その目的は、簡単な構造でありながら、利用目的に応じた十分な明るさで発光面全体を均一に発光させるとともに、温度上昇抑制及び消費電力の削減を図ることができる発光パネル及びそれを利用した発光物を提供することである。
【０００６】
前記目的を達成するため、本発明の発光パネルは、対向する主面の少なくとも一方が開放した反射ケース，透光性を有しており、前記反射ケースの開放した主面を覆う導光板，前記反射ケースの側面に設けられており、該反射ケース内に光を照射する照射手段，を備えるとともに、前記照射手段が、透光性を有し、断面が略円弧状ないし略円形であって、前記照射ケースの側面に沿って配置される透明体，該透明体の光の照射側を除く外周面を覆うように設けられており、前記透明体が取り付けられるカバー，前記透明体とカバーとの間に、前記透明体の表面に非密着状態ないし近接状態となるように、透明体に沿って配置されており、前記透明体に光を照射する複数の光源，を備えたことを特徴とする。
【０００７】
他の発明の発光パネルは、対向する主面の少なくとも一方が開放した反射ケース，透光性を有しており、前記反射ケースの内側に収納される導光板，前記反射ケースの側面に設けられており、前記導光板の側面から、該導光板内に光を照射する照射手段，前記反射ケースの開放した主面を覆う拡散板，を備えるとともに、前記照射手段が、透光性を有し、断面が略円弧状ないし略円形であって、前記照射ケースの側面に沿って配置される透明体，該透明体の光の照射側を除く外周面を覆うように設けられており、前記透明体が取り付けられるカバー，前記透明体とカバーとの間に、前記透明体の表面に非密着状態ないし近接状態となるように、透明体に沿って配置されており、前記透明体に光を照射する複数の光源，を備えたことを特徴とする。
【０００８】
主要な形態の一つは、前記光源が、発光ダイオードであることを特徴とする。他の形態は、前記導光板が、平板状の透明板と、そのいずれか一方の主面に形成された散乱部を含むとともに、該散乱部が形成されていない側の主面が、前記反射ケースの外側を向くように配置されることを特徴とする。更に他の形態は、前記カバー及び反射ケースが放熱性を有すること，前記カバーと光源との間に導熱性シートを設けたこと，前記透明体が、樹脂又はガラスを材料とすることを特徴とする。
【０００９】
本発明の発光物は、前記いずれかに記載の発光パネルを利用したことを特徴とする。主要な形態の一つは、前記発光物が、ショーケース，表示パネル，案内パネルのいずれかであることを特徴とする。本発明の前記及び他の目的，特徴，利点は、以下の詳細な説明及び添付図面から明瞭になろう。
【発明の効果】
【００１０】
本発明は、透光性を有し、断面略円弧状ないし略円形の曲面部を有する透明体に対して光源から光を導入する照射手段によって、主面開口部が導光板で覆われた反射ケース内，あるいは、主面開口部が拡散板で覆われた反射ケース内の導光板に光を照射することとしたので、利用目的に応じた十分な明るさで発光面全体を均一に発光させることができる。また、前記光源としてＬＥＤを用いることで、温度上昇を抑制するとともに、消費電力の削減を図ることができるという効果が得られる。
【発明を実施するための最良の形態】
【００１１】
以下、本発明を実施するための最良の形態を、実施例に基づいて詳細に説明する。
【実施例１】
【００１２】
最初に、図１〜図３を参照しながら、本発明の実施例１を説明する。図１は、本実施例のショーケースの外観を示す斜視図である。図２は、前記ショーケースの発光パネルを示す図であり、(A)は外観斜視図，(B)は分解斜視図，(C)は前記(A)を＃Ａ−＃Ａ線に沿って切断し矢印方向に見た断面図，(D)は他の例を示す斜視図である。図３(A)は本実施例の照射部の構造を示す分解斜視図，図３(B)は、本実施例の回路図である。本実施例は、本発明の発光パネルを、食品などを展示するためのショーケースに適用したものである。
【００１３】
本実施例のショーケース１０は、図１に示すように、上面側が発光する発光パネル２０上に、透光性を有する陳列板１２及び棚１３を備えており、これらの上方には、保護用のカバー１４が設けられている。該カバー１４も透光性を有しており、前記陳列板１２や棚１３に並べられた展示品１６を外側から見ることができるようになっている。前記陳列板１２，棚１３，カバー１４は、例えば、アクリルやガラスなどの透明な材料によって形成される。このようなショーケース１０は、全体が、支持台１８によって展示場所に設置・固定されている。なお、本実施例のショーケース１０内には、前記展示品１６として、例えば、温度を少なくとも常温程度又はそれ以下に保っておくことが好ましい菓子類などが展示されている。
【００１４】
発光パネル２０は、図２に詳細を示すように、ケース２２と、該ケース２２の一方の主面の開放部２４に設けられる透光性を有する導光板３０と、前記ケース２２の側面内側に設けられており、該ケース２２の内部に光を照射する照射部３６により構成されている。前記照射部３６は、本実施例では図示の通り、ケース２２の短辺側の側面内側にそれぞれ１つずつ設けられている。前記導光板３０は、例えば、透光性を有するアクリル樹脂やガラスなどによって形成されており、ケース２２側の主面には、光を拡散させる散乱部（ないし拡散部）３２が形成される。前記散乱部３２には、例えば、つや消し，Ｖカット，ドット印刷などの拡散加工が施される。
【００１５】
まず、ケース２２は、所定の厚みを有する略直方体形状であって、一方の主面のほぼ全体が開放しており、開口部２４の縁に、前記導光板３０の透明側がケース２２の外側を向くようにして適宜手段によって固定されている。また、前記ケース２２の内側の底面及び側面には、白色反射板２６が設けられている。なお、ここでは、白色の板を利用することとしたが、白色テープなどを貼り付けたり、白色塗料を塗布したりしても代用可能である。前記ケース２２の材料としては、アルミニウム板やプラスチック板など公知の各種の材料が用いられるが、放熱性を上げるためには、例えばアルミニウム板などを利用すると都合がよい。
【００１６】
次に、照射部３６について説明する。照射部３６は、本実施例では、前記ケース２２の短辺側の側面にそれぞれ１つずつ設けられており、前記ケース２２の内部に光を導入するものである。前記照射部３６は、前記側面より若干長さが短く、厚みが薄くなるように設定された照射カバー３８内に、光源であるＬＥＤ（発光ダイオード）４８と、該ＬＥＤ４８に接する断面略円形の棒状（ないし円柱状）の透明体５６が収納された構成となっている。前記照射カバー３８は、図３(A)に示すように、開放部４０側が若干すぼまった断面略コ字形状となっており、開放部４０を若干外側に押し広げることができるような材料（例えば、アルミニウム板やプラスチック板など）で形成されている。該照射カバー３８についても、例えば、前記ケース２２と同様に、放熱性の高いアルミニウム板などを用いると一層都合がよい。
【００１７】
前記ＬＥＤ４８は、前記照射カバー３８の底面４２と略同一形状のフレキシブル基板４４上に平行に形成された電極パターン４６Ａ，４６Ｂ上に跨るように複数配置されており、前記電極パターン４６Ａ，４６Ｂの端部には、それぞれリード線５０，５２が接続されている。前記電極パターン４６Ａ，４６Ｂとしては、例えば銅が用いられ、あらかじめフレキシブル基板４４に印刷されている。このような電極パターン４６Ａ，４６Ｂ上に設けられるＬＥＤ４８の数は任意であるが、本実施例では、１０個のＬＥＤ４８が等間隔で配置されている。また、前記透明体５６は、前記照射カバー３８と略同一の長さに形成されており、その直径は、照射カバー３８の底面４２の幅と略同一に設定されている。前記透明体５６としては、例えば、アクリル樹脂からなる透光性の透明な棒状体が利用される。
【００１８】
以上の各部は、まず、フレキシブル基板４４上に形成された平行な電極パターン４６Ａ，４６Ｂに跨るように、ＬＥＤ４８を配置し、該ＬＥＤ４８の図示しない端子と電極パターン４６Ａ及び４６Ｂを接続する。そして、電極パターン４６Ａ，４６Ｂの端部に、それぞれリード線５０，５２を適宜手段で接続する。次に、このようにしてＬＥＤ４８を設けたフレキシブル基板４４を、照射カバー３８の底面４２に貼り付け、更にその上から前記透明体５６を、開放部４０から嵌め込み、前記ＬＥＤ４８に接触ないし近接させる。このとき、透明体５６の直径は、開放部４０の幅よりも若干大きく設定されているため、開放部４０を押し広げることになる。すると、開放部４０が内側に戻る力により、透明体５４が照射ケース３８に固定される。
【００１９】
ＬＥＤ４８と接続したうちの一方のリード線５０は、ケース２２外に設けられた電源５８（図３(B)参照）の一方の端子に接続され、更に、電源５８の他方の端子に接続されたリード線は、スイッチ６０を介して、前記ＬＥＤ４８と接続した他のリード線５２に接続されている。すなわち、図３(B)に示すように、並列接続された１０個のＬＥＤ４８に、スイッチ６０を介して電源５８が接続された構成となっており、前記スイッチ６０のＯＮ／ＯＦＦの切り替えにより、ＬＥＤ４８の点灯及び消灯を切り替えることができる。他方の照射部３６についても同様の構成となっており、それらのリード線は、前記電源５８及びスイッチ６０に接続される。なお、図３(A)及び(B)に示すＬＥＤ４８の配置及び回路図は一例であり、直並列回路にするなど、同様の効果を奏するように適宜変更してよい。
【００２０】
次に、本実施例の作用を説明する。発光パネル２０は、導光板３０が上面側となるように、図１に示す通り支持台１８上に固定される。そして、前記発光パネル２０の上に、陳列板１２，棚１３を設け、これらの上に所望の展示品１６を並べた後、全体にカバー１４を被せる。陳列が完了したら、前記スイッチ６０をＯＮにして、電源５８から照射部３６内に設けられたＬＥＤ４８に電気を供給して通電し、ＬＥＤ４８を点灯させ、透明体５６を介してケース２２内へ向けて光を照射する。ＬＥＤ４８から透明体５６へ入射した光は、断面略円形の透明体５６によるレンズ効果で屈折・発散され、前記ケース２２内部に多方向から入射する。
【００２１】
このとき、ケース２２内の底面及び側面には、白色反射板２６が設けられているため、透明体５６を介して多方向から入射した光は、これら白色反射板２６によって内部全体に拡散し、更に、散乱部３２で散乱して、ケース２２の外部に射出されるようになる。このような状態のショーケース１０を外部から見ると、発光パネル２０の全体が均一に明るく見え、陳列されている展示品１６を明瞭に見ることができる。
【００２２】
このように、本実施例１によれば、次のような効果がある。
(1)透光性を有する断面略円形の透明体５６に対してＬＥＤ４８から光を導入する照射部３６によって、主面開口部２４が導光板３０で覆われたケース２２内に側面から光を照射することとした。このため、発光パネル２０の発光面全体を利用目的に応じた十分な明るさで均一に発光させることができる。
(2)光源としてＬＥＤ４８を用いているため、白熱灯や蛍光ランプを利用した場合と比べて温度上昇が少なく、熱による展示品１６への影響を抑制することができる。このため、温度が上がると溶け出すクリームなどを使用した菓子類などの陳列に都合がよい。また、消費電力削減を図ることもできる。
(3)ＬＥＤ４８の点灯及び消灯を、必要に応じてスイッチ６０で切り替えることとしたので、照射部３６の一部を点灯されるなど、不要時の無駄な照明を省くことができる。
【００２３】
なお、上述した実施例では、ケース２２の短辺側の側面の内側に、１つずつ照射部３６を内蔵することとしたが、いずれか一方の側面にのみ設けるようにしてもよい。また、図２(D)に示す例のように、ケース２２の長辺側の一方の側面に、前記照射部３６を差し込むための開放した差込口７０を設け、照射部３６を着脱可能な構成としてもよい。
【実施例２】
【００２４】
次に、図４を参照しながら、本発明の実施例２を説明する。本実施例は、上述した実施例のショーケースなどに利用される発光パネルの他の例である。図４(A)は本実施例の外観斜視図，図４(B)は前記(A)を＃Ｂ−＃Ｂ線に沿って切断し、矢印方向に見た断面図である。なお、上述した実施例１と同一ないし対応する構成要素には同一の符号を用いることとする。本実施例の発光パネル８０は、図４に示すように、前記実施例１と同様の構成のケース２２の内側に、導光板８２が収納されており、前記ケース２２の主面開口部２４は、拡散板８６によって覆われている。また、ケース２２の短辺側の一方の側面には、前記導光板８２の側面から、該導光板８２内に光を照射するための照射部９０が設けられている。
【００２５】
前記導光板８２は、例えば、透光性を有するアクリル樹脂やガラスなどによって形成されており、一方の主面（図示の例では、下面側）には、光を拡散させるための特殊加工８４（例えば、つや消し，Ｖカット，ドット印刷など）が施されている。このような導光板８２は、透明側が主面開口部２４を向くように、ケース２２内に収納される。なお、本実施例では、ケース２２として、例えば、放熱性の高いアルミニウムが利用される。また、前記主面開口部２４を覆う拡散板８６は、例えば、アクリル樹脂などにつや消しなどの加工を施すことにより形成されるが、拡散処理が施されたシートを利用するようにしてもよい。
【００２６】
一方、前記照射部９０は、基本的には、上述した実施例１の照射部３６と同様に、照射カバー３８内に、光源であるＬＥＤ４８と、該ＬＥＤ４８に接する断面略円形の棒状の透明体５６が収納された構造となっている。本実施例では、これに加え、前記ＬＥＤ４８が配置された基板４４と照射カバー３８の底面の間には、導熱性を有する導熱シート９２が設けられている。該導熱シート９２としては、例えば、グラファイトシートなどが利用されるが、他の公知の各種の導熱性を有するシートを利用するようにしてもよい。
【００２７】
次に、本実施例の作用について説明する。前記ＬＥＤ４８の点灯により、透明体５６へ入射した光は、断面略円形の透明体５６によるレンズ効果で屈折・発散され、前記導光板８２の側面（端面）から、該導光板８２内部に多方向から入射する。導光板８２に入射した光は、該導光板８２の底面の特殊加工８４や、ケース２２の内側の白色反射板２６によって内部全体に拡散し、更に、拡散板８６によって散乱されて外部に射出される。このような状態の発光パネル８０を外部から見ると、全体が均一に明るく見える。この際、前記ＬＥＤ４８の点灯により生じた熱は、基板４４を介して導熱シート９２に導熱され、放熱性を有する照射カバー３８へ導かれる。該照射カバー３８へ導かれた熱は、更に、放熱性を有するカバー２２を介して、外部に放熱される。
【００２８】
このように、実施例２によれば、導光板８２をケース２２の内側に収納した構造としても、発光パネル８０の発光面全体を、十分な明るさで均一に発光させることができる。また、ＬＥＤ４８の点灯により生じた熱を、導熱シート９２，照射カバー３８，ケース２２を介して外部に積極的に放熱することとしたので、より良好な温度上昇抑制効果が得られる。
【実施例３】
【００２９】
次に、図５を参照しながら、本発明の実施例３を説明する。本実施例は、本発明の発光パネルを、各種会場の案内などで利用される案内パネルに適用した例である。図５に示すように、本実施例の案内パネル１００は、ケース１０６の主面開口部に導光板１０４が設けられた発光パネル１０１が、足１１０によって立設されたフレーム１０８に支持されている。前記ケース１０６の側面内側には、上述した実施例１又は２と同様の構成の照射部（図示せず）が設けられている。なお、照射部を設ける位置は、上下左右のいずれの位置としてもよく、一側面のみに設けるようにしてもよいし、複数の側面に設けるようにしてもよい。前記導光板１０４の表面には、例えば、展示会場の入口、受付などの場所を示すための文字１０２や矢印が設けられている。なお、このような文字１０２などは、図示しない透明シールなどに予め所望の文字が印刷されたものを、前記透明板１０６の表面に貼り付けるなどの手法によって適宜形成される。本実施例の基本的作用・効果は、上述した実施例１又は２と同様であり、内側に設けた照射部から照射される光が、導光板１０４により散乱されて、パネル全体が均一に明るく発光する。
【００３０】
なお、本発明は、上述した実施例に限定されるものではなく、本発明の要旨を逸脱しない範囲内において種々変更を加え得ることができる。例えば、以下のものも含まれる。
(1)前記実施例で示した形状，大きさは一例であり、同様の効果を奏するように、適宜変更可能である。例えば、前記実施例では、発光パネル２０や８０を略長方形としたが、円形のケースを用いてその内側に照射部３６を設けるようにしてもよい。
(2)透明体５６は、透明無色なものが好ましいが、有色であることを妨げるものではない。また、前記実施例１では、透明体５６としてアクリル樹脂を例に挙げたが、他の公知の各種の樹脂（例えばＰＣなど）やガラスを材料としてもよい。
(3)光源としては、ＬＥＤ４８以外の他の光源，例えば、冷陰極管などを用いてもよいが、消費電力や温度の点を考慮すると、ＬＥＤが最も好適である。
(4)ＬＥＤ４８は、単色発光のものを利用してもよいし、多色発光のものを利用してもよい。
(5)前記実施例で示したＬＥＤ４８の数も一例であり、必要に応じて適宜増減してよい。
(6)照射部３６や９０を設ける位置も一例であり、ケース２２や１０６の形状などに応じて適宜変更してよい。また、照射部３６や９０は、着脱式としてもよいし内蔵式としてもよく、その取り付け機構も同様の効果を奏するように適宜変更してよい。
(7)前記実施例１では、ケース２２の外側に電源５８及びスイッチ６０を設けることとしたが、ケース２２の内側に電源となる電池を設け、ケース２２の側面にスイッチ６０を設けるようにするなど、同様の効果を奏するように適宜設計変更可能である。
(8)前記実施例で示した透明体５６も一例であり、断面略円弧状の長尺物を用いるなど、レンズ効果を奏する曲面部を有するものであれば、必要に応じて形状変更可能である。
(9)前記実施例で示したショーケース１０や案内パネル１００は一例であり、本発明は、発光パネルを利用した各種発光物全般に対して適用可能である。
(10)前記実施例で示した散乱部３２，特殊加工８４や拡散板８６も一例であり、光を散乱ないし拡散できるものであれば、どのような処理を施されたものであってもよい。
【産業上の利用可能性】
【００３１】
本発明によれば、透光性を有し、断面が略円弧状ないし略円形の透明体に光源から光を導入する照射手段によって、主面開口部が導光板で覆われた反射ケース内，あるいは、主面開口部が拡散板で覆われた反射ケース内の導光板に光を照射し、利用目的に応じた十分な明るさで発光面全体を均一に発光させるので、発光パネルの用途に適用できる。特に、前記光源としてＬＥＤを用いることで、温度上昇抑制及び消費電力削減を図ることができるため、温度変化による影響を受けやすいものを陳列するショーケースなどの用途に好適である。
【図面の簡単な説明】
【００３２】
【図１】本発明の実施例１のショーケースの外観を示す斜視図である。
【図２】前記実施例１の発光パネルを示す図であり、(A)は外観斜視図，(B)は分解斜視図，(C)は前記(A)を＃Ａ−＃Ａ線に沿って切断し矢印方向に見た断面図，(D)は他の例を示す斜視図である。
【図３】前記実施例１を示す図であり、(A)は照射部の構造を示す図，(B)は本実施例の回路図である。
【図４】本発明の実施例２を示す図であり、(A)は外観斜視図，(B)は前記(A)を＃Ｂ−＃Ｂ線に沿って切断し、矢印方向に見た断面図である。
【図５】本発明の実施例３の外観を示す斜視図である。
【符号の説明】
【００３３】
１０：ショーケース
１２：陳列板
１３：棚
１４：カバー
１６：展示品
１８：支持台
２０：発光パネル
２２：ケース
２４：開放部
２６：反射板
３０：導光板
３２：散乱部
３６：照射部
３８：照射カバー
４０：開放部
４２：底面
４４：フレキシブル基板
４６Ａ，４６Ｂ：電極パターン
４８：ＬＥＤ（発光ダイオード）
５０，５２：リード線
５６：透明体
５８：電源
６０：スイッチ
７０：差込口
８０：発光パネル
８２：導光板
８４：特殊加工
８６：拡散板
９０：照射部
９２：導熱シート
１００：案内パネル
１０２：文字
１０４：導光板
１０６：ケース
１０８：フレーム
１１０：足
【図１】
2007059163.tif 000003
【図２】
2007059163.tif 000004
【図３】
2007059163.tif 000005
【図４】
2007059163.tif 000006
【図５】
2007059163.tif 000007